(57)【要約】【課題】交信環境に合わせて簡単にＲＦリーダの設置位置を調整することのできるＲＦリーダの取付構造の提供を目的とする。【解決手段】交信可能領域に進入したＲＦタグを非接触で読み取るＲＦリーダ１を設置壁面２に設定された設置基部３に固定するＲＦリーダの取付構造であって、  前記ＲＦリーダ１が、設置基部３に固定されるベース体４と、ベース体４に固定位置可変に固定されるＲＦリーダ本体５とから形成され、  ＲＦリーダ本体５の設置基部３に対する固定位置を可変にして構成する。【選択図】  図５
2006249714.tif 000002
【特許請求の範囲】
【請求項１】
交信可能領域に進入したＲＦタグを非接触で読み取るＲＦリーダを設置壁面に設定された設置基部に固定するＲＦリーダの取付構造であって、
前記ＲＦリーダが、設置基部に固定されるベース体と、ベース体に固定位置可変に固定されるＲＦリーダ本体とから形成され、
ＲＦリーダ本体の設置基部に対する固定位置を可変にしたＲＦリーダの取付構造。
【請求項２】
前記ＲＦリーダは先端部を設置壁面から露出させて設置されるとともに、
ＲＦリーダ本体は、設置壁面からの飛び出し方向に調節可能域を有する請求項１記載のＲＦリーダの取付構造。
【請求項３】
前記ベース体は、ＲＦリーダ本体を保持する保持部を設置壁面に開設した取付開口に嵌合させるとともに、保持部前端に形成される位置決めフランジを設置壁面に当接させて設置基部に固定され、
ＲＦリーダ本体は、保持部に固定手段を使用して最終固定されるとともに、ＲＦリーダ本体とベース体との間には、最終固定前の調整位置を保持可能な程度の摺動抵抗が付与される請求項２記載のＲＦリーダの取付構造。
【発明の詳細な説明】
【技術分野】
【０００１】
本発明は、ＲＦリーダの取付構造に関するものである。
【背景技術】
【０００２】
ＲＦリーダを壁面等に固定する際の構造としては、特許文献１の図４７に記載のものが知られている。この従来例において、ＲＦリーダは家屋の壁面に直接ビス等を使用して固定される。
【特許文献１】特開２００２-７０３７８号公報
【発明の開示】
【発明が解決しようとする課題】
【０００３】
ところで、電波を通信媒体として使用するＲＦＩＤの交信品質は、周囲の状況によって影響を受けるため、ＲＦリーダの設置に際しては、電波状態を確認しながら調整する必要がある。とりわけ、設置壁面の材質等は交信環境に与える影響が大きいために、壁面への設置に際しては調整の必要が大きくなる。
【０００４】
しかし、上述した従来例においては、壁面に対する相対位置は調整不能であるために、最適な通信環境下にＲＦリーダを設置できないという問題がある。
【０００５】
本発明は、以上の欠点を解消すべくなされたものであって、交信環境に合わせて簡単にＲＦリーダの設置位置を調整することのできるＲＦリーダの取付構造の提供を目的とする。
【課題を解決するための手段】
【０００６】
本発明によれば上記目的は、
交信可能領域に進入したＲＦタグを非接触で読み取るＲＦリーダ１を設置壁面２に設定された設置基部３に固定するＲＦリーダの取付構造であって、
前記ＲＦリーダ１が、設置基部３に固定されるベース体４と、ベース体４に固定位置可変に固定されるＲＦリーダ本体５とから形成され、
ＲＦリーダ本体５の設置基部３に対する固定位置を可変にしたＲＦリーダの取付構造を提供することにより達成される。
【０００７】
ＲＦリーダ１は、例えば、家屋のエントランスホール、玄関等の家屋壁面、あるいは扉等の設置壁面２に固定され、ＲＦタグを読み込んでＲＦタグ所持者に対するＩＤ確認等を行う。ＲＦタグのＲＦリーダ１による読み込みは非接触で行われる。
【０００８】
ＲＦリーダ１を設置基部３に固定されるベース体４と、ＲＦリーダ本体５とに分離し、ＲＦリーダ本体５をベース体４に対して固定位置可変とする本発明において、設置基部３の位置にかかわらずＲＦリーダ本体５を交信条件が最適な位置に配置することができるために、設置位置の融通性が向上する。
【０００９】
ＲＦリーダ１は、設置壁面２内部に配置することも可能であるが、先端部を設置壁面２から露出して設置する場合には、設置壁面２による信号減衰を防止することができる。この場合、ＲＦリーダ１の位置調節方向を設置壁面２からの飛び出し方向に一致させると、突出寸法を小さくすることによる見栄えの向上と、突出寸法を大きくすることによる交信品質の双方を勘案して突出寸法を決定することができる。
【００１０】
さらに、ＲＦリーダの取付構造を、
前記ベース体４は、ＲＦリーダ本体５を保持する保持部６を設置壁面２に開設した取付開口７に嵌合させるとともに、保持部６前端に形成される位置決めフランジ８を設置壁面２に当接させて設置基部３に固定され、
ＲＦリーダ本体５は、保持部６に固定手段を使用して最終固定されるとともに、ＲＦリーダ本体５とベース体４との間には、最終固定前の調整位置を保持可能な程度の摺動抵抗が付与されるように構成することができる。
【００１１】
この場合、ベース体４の位置決めフランジ８を設置壁面２に押し付けるようにして仮保持した状態で交信状態を確認しながらＲＦリーダ本体５の突出位置を仮決定し、この後、一旦ベース体４を設置壁面２から取り外してＲＦリーダ本体５をベース体４に固定手段を使用して最終固定し、これらを設置基部３に最終固定することができるために、調整効率が向上する。
【発明の効果】
【００１２】
本発明によれば、交信環境に合わせて簡単にＲＦリーダの設置位置を調整することができる。
【発明を実施するための最良の形態】
【００１３】
図１から５に本発明の実施の形態を示す。この実施の形態は、集合住宅のエントランスホールに設置される入退室管理システムの非接触操作パネルとして構成されたもので、図１に示すように、エントランスホールの設置壁面２に固定されて使用される。
【００１４】
設置壁面２には、取付開口７が開設されており、設置壁面２内には適宜の設置基部３が設定される。この実施の形態において、設置壁面内に予め設置されるスイッチボックスカバーが設置基部３として利用される。このスイッチボックスカバー３は、図１、図２（ｂ）に示すように、皿状に形成され、頂部平面の四隅部にねじ孔３ａが設けられる。
【００１５】
ＲＦリーダ１は、上記スイッチボックスカバー３に固定されるベース体４と、ベース体４に保持されるＲＦリーダ本体５と、ベース体４の位置決めフランジ８を覆うカバー９とからなる。ベース体４は、図２に示すように、上記設置壁面２の取付開口７に嵌合可能な保持部６の前端に位置決めフランジ８を設けて形成される。
【００１６】
位置決めフランジ８は、図２（ｂ）に示すように、裏面を設置壁面２の表面に当接させた状態でベース体４の壁面厚み方向の位置決めを行うもので、ベース体４は、上記保持部６の取付開口７への嵌合による位置決め効果と相まって、設置壁面２に対する取付位置が決定される。この位置決めフランジ８の四隅部には、図２に示すように、基部取付孔８ａが開設され、ベース体４は、各基部取付孔８ａを貫通して上記スイッチボックスカバー３のねじ孔３ａにねじ込まれるねじ１０により設置壁面２に固定される。ベース体４の取付姿勢を回転方向に調整可能なように、４個の基部取付孔８ａは、同心円上に配置される円弧状長円形状を有し、その周縁には、ねじ１０の頭部１０ａを収容するための凹部８ｂが形成される。
【００１７】
さらに、位置決めフランジ８には、カバー取付孔８ｃが設けられ、図２（ｂ）に示すように、設置壁面２に固定した後、上記カバー取付孔８ｃにねじ込まれるねじ１１によりカバー９が固定される。カバー９は、位置決めフランジ８は側縁部に折り返しを有しており、固定状態において位置決めフランジ８を全体に渡って覆う。
【００１８】
保持部６は、位置決めフランジ８の裏面から垂直方向にガイド壁面６ａを突設させて形成される。ガイド壁面６ａの両端には後述するＲＦリーダ本体５のスライド突条５ａを摺動自在に保持する嵌合溝６ｂが形成される。また、ガイド壁面６ａには、図２（ｂ）に示すように、複数の固定用孔１２、１２・・が穿孔される。固定用孔１２は、後述するＲＦリーダ本体５側のねじ挿通孔５ｂ、および固定ねじ１３と協働してＲＦリーダ本体５の固定手段を構成するもので、ＲＦリーダ本体５の調整可能寸法（Ｌ）を等分するように等間隔で形成される。この実施の形態において、調整ピッチ（ｐ）を細かくするために、固定用孔１２は、半ピッチずれた複数列（図示の例では２列）を１組として利用される。
【００１９】
図３、４に示すように、ＲＦリーダ本体５は、上下のケース半体１４ａ、１４ｂを連結して形成されるケース１４と、ケース１４内に収容されるプリント基板５ｃとを有する。プリント基板５ｃ上には、アンテナ５ｄを含むＲＦリーダ回路が構築され、実装面裏面に固定されるコネクタ５ｅを介して図外のコントローラ部に接続される。
【００２０】
上ケース１４ａが金属材料に形成される場合には、アンテナ５ｄへの電波透過性を低下させないように、上面が開放されて非導電材料により形成されるプレート１４ｃにより閉塞される。図１に示すように、プレート１４ｃは、プリント基板５ｃ上に搭載されるＬＥＤ５ｆによりアクセス状態を示すメッセージ表示面として使用される。
【００２１】
ケース１４はベース体４のガイド壁面６ａに摺接する対向側壁を有して概ね立方体形状に形成され、四隅部にスライド突条５ａが膨隆される。図４（ｂ）に示すように、ガイド壁面６ａに対応する側壁面の下端部には、ガイド壁面６ａ側の固定用孔１２に重合可能なねじ挿通孔５ｂが穿孔される。四隅のスライド突条５ａを嵌合溝６ｂに嵌合させた状態で、ＲＦリーダ本体５は、ケース１４に対して摺動させることができる。
【００２２】
以上のように構成されるＲＦリーダ１を設置壁面２に固定するには、先ず、ベース体４にＲＦリーダ本体５を嵌合させ、次いで、コネクタ５ｅをハーネスコネクタにプラグインしてＲＦリーダ回路をコントローラに結線する。この状態で、ベース体４の保持部６を設置壁面２の取付開口７に嵌合させ、位置決めフランジ８が設置壁面２に当接するまでベース体４を押し込む。
【００２３】
次いで、図外のＲＦタグをＲＦリーダ１近傍に翳して交信品質が良好で、かつ、設置壁面２からの突出量が最小となる位置を検索する。突出位置の検索は、位置決めフランジ８をスイッチボックスカバー３にねじ１０を利用して仮止めしたり、あるいは、手で位置決めフランジ８を押さえながらＲＦリーダ１を進退させるだけで簡単に行うことができる。図５（ａ）に、交信環境が悪いために、ＲＦリーダ１を最大まで飛び出させた状態を、図５（ｂ）に良好な交信環境下で飛び出し量を最小にした状態を各々示す。
【００２４】
このようにして最適突出位置を検索した後、一旦、ベース体４を設置壁面２から取り外す。ベース体４の取り外しに際し、ベース体４とＲＦリーダ本体５の相対位置が妄りに変化しないように、ＲＦリーダ本体５とベース体４との間には適宜の摺動抵抗が付与される。
【００２５】
この後、ベース体４とＲＦリーダ本体５とを固定する。固定は、ケース１４側の固定用孔１２とＲＦリーダ本体５側のねじ挿通孔５ｂとが完全に合致するようにＲＦリーダ本体５を微調整した後、固定ねじ１３を固定用孔１２にねじ込んで行われる。
【００２６】
以上のようにしてＲＦリーダ本体５とベース体４との最終固定が終了した後、ＲＦリーダ１を再び設置壁面２に装着して固定し、さらに、カバー９をねじ止めして施工が終了する。
【図面の簡単な説明】
【００２７】
【図１】本発明を示す図で、（ａ）は設置壁面への取付状態を示す正面図、（ｂ）は側面図である。
【図２】ベース体を示す図で、（ａ）は裏面図、（ｂ）は（ａ）の２Ｂ-２Ｂ線断面図である。
【図３】ＲＦリーダ本体を示す図で、（ａ）は平面図、（ｂ）は裏面図である。
【図４】ＲＦリーダ本体の断面図で、（ａ）は図３（ｂ）の４Ａ-４Ａ線断面図、（ｂ）は図３（ｂ）の４Ｂ-４Ｂ線断面図である。
【図５】ＲＦリーダ本体の調整状態を示す説明図である。
【符号の説明】
【００２８】
１        ＲＦリーダ
２        設置壁面
３        設置基部
４        ベース体
５        ＲＦリーダ本体
６        保持部
７        取付開口
８        位置決めフランジ
【図１】
2006249714.tif 000003
【図２】
2006249714.tif 000004
【図３】
2006249714.tif 000005
【図４】
2006249714.tif 000006
【図５】
2006249714.tif 000007